(57)【特許請求の範囲】
【請求項１】
赤外線検知素子４ａ，４ｂの相異なる複数の検知領域を設定する光学要素８，９を有する光学体７と、
この光学体７に相対的に移動して選択された前記光学要素８，９のみを露出させるマスク２４と、
このマスク２４に設けられて選択された前記光学要素８，９を表示する表示体３５とを備え、
前記表示体３５は、前記赤外線検知素子４ａ，４ｂによる人体検知を示す表示灯４４と、前記各光学要素８，９に対応して前記マスク２４に設けられ前記表示灯４４を露出させる表示孔２９，３０とを有しているエリア可変型の人体検知センサ。
【請求項２】
請求項１において、前記赤外線検知素子４ａ，４ｂはセンサケース３に収納されており、このセンサケース３に光学体７が固定され、前記マスク２４は、前記センサケース３または前記光学体７に相対的に回転可能に設定されているエリア可変型の人体検知センサ。
【発明の詳細な説明】
【０００１】
【発明の属する技術分野】
本発明は、レンズのような光学要素により設定される赤外線検知素子による人体の検知が可能な検知領域のパターンや方向を可変できるエリア可変型の人体検知センサに関するものである。
【０００２】
【従来の技術】
受動型赤外線検知素子を備えた人体検知センサは、一般に、レンズまたは反射ミラーのような光学要素によって、赤外線検知素子に入射させる赤外線のエリア（検知領域）を設定し、その検知領域内に進入する人体から放射される赤外線を赤外線検知素子に集光するとともに、その赤外線検知素子の出力に基づく検知領域内からの赤外線エネルギの変動量が所定のレベルを超えたときに、検知領域内への人体の進入を検知するように構成されている。このような人体検知センサは、自動ドアの開閉や防犯警報装置の作動のための起動スイッチとして広く使用されている。
【０００３】
この種の人体検知センサでは、例えば建造物の出入口などの比較的間口の広いエリア内の人体を検知する場合、スポット状の複数の検知領域を人体の移動方向に対し直交方向に配列して設定できるワイド型レンズが用いられる。一方、家屋の裏の壁面に近接する方向に移動または壁面伝いに移動する人体を検知するような場合には、比較的狭い所要の場所にのみ単一の検知領域を設定できるナロー型レンズが用いられる。これに対し、従来では、用途に応じてワイド型レンズとナロー型レンズとを選択的に赤外線検知素子に対向させることのできる、いわゆるチェンジャブルレンズを備えた人体検知センサが存在する。この人体検知センサは、複種類のレンズを所定の配置で備えたレンズホルダを、本体部から一旦取り外したのちに、その位置を逆転させたのちに本体部に取り付けることにより、所望のレンズを選択して赤外線検知素子に対向配置できるようになっている。
【０００４】
【発明が解決しようとする課題】
しかしながら、従来のチェンジャブルレンズを備えた人体検知センサでは、レンズホルダを本体部に対し一旦取り外したのちに本体部との相対位置を変えて再度合体させるようになっているから、レンズを選択するに際してレンズホルダの取り外しと取り付けの煩雑な作業を行わなければならない。
【０００５】
また、一般のユーザはレンズの種類を目視により判別するが難しい。そこで、従来では、本体部の各角部などの複数箇所に互いに異なるレンズの種類をそれぞれ表記した表示部と、レンズホルダにおける本体部の各表示部に対向する単一の箇所に設けた表示用切欠きとからなるレンズ表示体を設けている。このレンズ表示体は、レンズホルダを本体部に合体させたときに、それにより選択されたレンズの種類を表記した表示部のみがレンズホルダの切欠きを介して外部に露呈表示されるようになっている。しかしながら、このようなレンズの表示では、レンズホルダを本体部に合体させない限り選択したレンズの種類を確認することができず、また、レンズの表示部は、センサ自体の角部に設けられることから、センサの表面側から見にくい。そのため、一般のユーザーが設置する場合にはレンズの選択を間違うおそれがある。
【０００６】
そこで本発明は、簡単な構成としながらも、単純な操作で所望のレンズを正確に選択して設定することのできるエリア可変型の人体検知センサを提供することを目的とするものである。
【０００７】
【課題を解決するための手段】
上記目的を達成するために、本発明のエリア可変型の人体検知センサは、赤外線検知素子の相異なる複数の検知領域を設定する光学要素を有する光学体と、この光学体に相対的に移動して選択された前記光学要素のみを露出させるマスクと、このマスクに設けられて選択された前記光学要素を表示する表示体とを備え、前記表示体３５は、前記赤外線検知素子４ａ，４ｂによる人体検知を示す表示灯４４と、前記各光学要素８，９に対応して前記マスク２４に設けられ前記表示灯４４を露出させる表示孔２９，３０とを有している。
【０００８】
このエリア可変型の人体検知センサでは、所望の光学要素の選択に際して、マスクと光学体の何れか一方を操作してマスクと光学体の相対位置を変えることにより、光学体における所望の光学要素のみを択一的にマスクから露出させる。このとき、マスクは光学体の選択されなかった他の光学要素を覆い、マスクに設けられた表示体には選択された光学要素の種類が表示される。したがって、この人体検知センサでは、所望の光学要素の選択に際して、光学体の各光学要素と赤外線検知素子との相対位置は不変であるとともに、マスクと光学体とは相互に取り外しすることなく相対的に移動させるよう操作するだけでよい。そのため、簡単な構成としながら、単純な操作で所望の光学要素を選択することができるとともに、表示体の表示を見ながらマスクまたは光学体を操作することにより、光学要素の選択を間違うおそれもなくなる。
しかも、選択した光学要素の種類を表示灯の発光による電気的表示によって表示するので、選択したレンズの種類を確実に確認することができ、一般のユーザーが設置する場合においても光学要素の選択を間違うおそれがなくなる。さらに、マスクに表示孔を設けることで、人体検知を示す既存の表示灯を、選択した光学要素の種類の表示に兼用して構成を簡素化できる。
【００１０】
また、本発明において、前記赤外線検知素子はセンサケースに収納されており、このセンサケースに光学体が固定され、前記マスクは、前記センサケースまたは前記光学体に相対的に回転可能に設定されている構成とすることができる。これにより、赤外線検知素子と光学体とを所定の位置決め状態に固定するとともに、マスクと光学体の相対位置を変える手段を簡単で確実な構成で実現することができる。
【００１１】
【発明の実施の形態】
以下、本発明の好ましい実施形態について図面を参照しながら詳述する。
図１は本発明の一実施形態に係るエリア可変型の人体検知センサを示す切断右側面図、図２はその要部の分解斜視図をそれぞれ示し、これらの図において、先ず、全体構成の概略について説明する。この人体検知センサは、構成を大別すると、壁、天井または机のような支持体Ｓに支持される平坦な支持面２を有するベース１と、中空の半球体形状を有して内部に一対の赤外線検知素子４ａ，４ｂからなる検知素子対４を収納したセンサケース３と、中空の半球体形状を有してその外面に各赤外線検知素子４ａ，４ｂの相異なる複数の検知領域を設定するための２つのレンズ（光学要素の一種）８，９（図２）が形成されたレンズ体（光学体の一種）７と、回転支持機構１０とを備えている。回転支持機構１０は、レンズ体７が固定された前記センサケース３を、ベース１に対して、支持面２に平行な第１の軸心（図１）１１とこの第１の軸心１１に直交する第２の軸心（図１）１２回りに回転自在に支持するもので、つぎにその構造を説明する。
【００１２】
前記センサケース３を回転自在に支持するための回転支持機構１０は、ベース１の開口１ａに開閉自在に取り付けられたメインケース１４、このメインケース１７の円弧状に湾曲した長孔状の嵌合孔１８にその長手方向Ｘにスライド自在に挿入されるホルダケース嵌合部１９を有し、スライドによって第１の軸心１１回りに回転可能なホルダケース１７と、このホルダケース嵌合部１９を嵌合孔１８にスライド自在に支持するとともに、ホルダケース嵌合部１９に嵌合してこの嵌合部１９を第２の軸心１２回りに回転可能に支持するスライド支持部材（図１）２０と、このスライド支持部材２０に取り付けられてホルダケース嵌合部１９の第２の軸心１２回りの回転を阻止するロック部材（図１）２１とにより構成されている。なお、図２には、スライド支持部材２０とロック部材２１の図示を省略してある。
【００１３】
つぎに、上述の各構成部材の詳細について説明する。図３は拡大して示した図１のＡ矢視図、図４は図１の要部の水平断面図である。図１のメインケース１４は、ベース１に対し、支軸１３を支点として実線位置と２点鎖線位置との範囲で回転可能に連結され、その後端開口部がベース１の開口１ａの周端に周知の凹凸嵌合構造により着脱自在に嵌合して開口１ａを開閉する。このメインケース４には、図４に示すように、半球体形状のホルダケース１７をその外面全体が摺接しながら回転するよう嵌まり込ませることのできる半球体形状を有する保持受部２２が形成されている。この保持受部２２には、その中心部を通って周方向に延びる長孔形状の嵌合孔１８が形成されており、この嵌合孔１８の長手方向Ｘに延びる両側孔縁に沿って、ガイドレール部２３が後方へ突設されている。
【００１４】
前記メインケース１４には下記の各構成部材が以下のような構造で取り付けられている。すなわち、前記半球体形状のホルダケース１７には、これとほぼ同一の半球体形状を有するマスク２４が各々の突き合わせ周面を互いに嵌合および接着されてほぼ球体形状に一体化され、この球体の後部、つまりホルダケース１７の後部から前記ホルダケース嵌合部１９が突出している。このホルダケース１７とマスク２４とからなる球体は、メインケース１４に対し、ホルダケース嵌合部を嵌合孔１８に挿通させて保持受部２２の内面に摺接しながら回動可能な状態に嵌め込まれるとともに、後述するホルダケース嵌合部１９への抜け止め構造により保持受部２２に保持されている。
【００１５】
ホルダケース嵌合部１９は、図３に明示するように、断面外形が正方形の四隅に丸味を付けた形状を有し、かつ内部に断面円形の保持孔３３を有する筒体になっている。このホルダケース嵌合部における後端部外周面には、図４に示す断面形状が爪形の抜け止め用鍔部３１が膨出形成されているとともに、その鍔部３１を含むホルダケース嵌合部の後端部の９０°間隔の４箇所には係止用切欠き３２が設けられている。
【００１６】
一方、前記の中空状の半球体であるセンサケース３には、これとほぼ同じ中空の半球体形状を有するレンズ体７が各々の開口周端部を周知の凹凸嵌合構造により互いに連結されてほぼ球体形状に一体化され、このセンサケース３とレンズ体７との球体が前記のホルダケース１７とマスク２４との球体の内部に収納されている。また、センサケース３の後部からは、ホルダケース１７におけるホルダケース嵌合部の保持孔３３の内径よりも僅かに小さな外径を有する円筒状の支持筒部３４が突設されている。センサケース３とレンズ体７からなる球体は、ホルダケース嵌合部の保持孔３３に挿通されて回転自在に保持された支持筒部３４を回転支軸として、第２の軸心１２回りに回転可能にホルダケース１７に保持されている。
【００１７】
また、図３に明示するように、前記支持筒部３４の先端部には径方向で対向する２箇所の外面に爪部３７が形成されており、図４に明示するように、支持筒部３４は、前記両爪部３７がホルダケース１７のホルダケース嵌合部の先端面に摺動自在に係合していることにより、ホルダケース嵌合部に対し抜け止めされた状態で回転可能に保持されている。さらに、支持筒部３４の先端部における両爪部３７の配列方向と直交する径方向で対向する２箇所には、回転操作用切欠き３８がそれぞれ形成されており、この両切欠き３８にドライバまたはコインを挿入して回転操作することにより、センサケース３とレンズ体７との球体を、図４の第２の軸心１２回りに回転させて、レンズ体７とマスク２４の相対位置を変更できるようになっている。
【００１８】
つぎに、上記のように相対位置が変更されるレンズ体７とマスク２４について説明する。図２に示すように、レンズ体７には、スポット状の複数の検知領域を列状に設定するためのワイド型レンズ８と、比較的狭い単一の検知領域を設定するためのナロー型レンズ９とが十字形状の配置で形成されている。この実施形態では、ワイド型レンズ８は各赤外線検知素子４ａ，４ｂに対して各々５つのスポット状検知領域を設定できる形状を有している。両レンズ８，９の交差する中央箇所は両レンズ８，９に共用できる形状になっている。
【００１９】
また、センサケース３の内部には、一対の赤外線検知素子４ａ，４ｂおよび表示灯４４などが取り付けられたプリント回路基板４３が、センサケース３に一体形成された支持突片４７と固定爪４８とにより、図１に示すように挟持固定されている。したがって、レンズ体７と両赤外線検知素子４ａ，４ｂおよび表示灯４４とは予め設定された相対位置を常に保持して一体的に動く。
【００２０】
前記検知素子対４は一対の赤外線検知素子４ａ，４ａが互いに逆極性に差動接続された構成になっており、この赤外線検知素子４ａ，４ａおよび表示灯４４などには、ベース１に取り付けられた電池５５から駆動用電源が供給される。また、表示灯４４は、赤外線検知素子４ａ，４ｂによる人体検知を表示するために設けられた既存のものであるが、この実施形態では選択したレンズ８または９の表示にも兼用する構成になっている。これの詳細については後述する。なお、表示灯４４は、レンズ体７における両レンズ８，９の形成されていない箇所に対向して配置されている。
【００２１】
一方、図２のマスク２４には、レンズ体７のレンズ８，９の外形とほぼ同じ孔形状の単一の光通過孔２７が穿孔されており、上述のようにレンズ体７とマスク２４との相対位置を９０°の回転間隔で変えることによって、何れか一方のレンズ８または９のみが光通過孔２７を通じて外部に露出させるようなっている。また、マスク２４には、ワイド用表示孔２９およびナロー用表示孔３０が、センサケース３の回転による表示灯４４の回動軌跡上であって中心に対して９０°の角度の箇所に配設されており、各表示孔２９，３０と表示灯４４とは、選択されたレンズ８，９を表示する表示体（図２）３５を構成している。すなわち、レンズ体７をマスク２４に対し９０°の角度に回転させて所望のレンズ８または９を選択したときに、その選択したレンズ８または９に対応する表示孔２９または３０に表示灯４４が対向して、選択したレンズ８または９を表示灯４４の発光により表示するようになっている。
【００２２】
また、マスク２４における表示孔２９，３０の近傍箇所には、ワイドとナローを示す文字ＷとＮが表記されており、表示灯４４の発光が見える表示孔２９，３０の近傍のＷまたはＮの文字を見て、レンズ８，９の選択による設定がワイド状態かナロー状態かを容易に識別できるようになっている。
【００２３】
図５は前記のスライド支持部材２０の斜視図を示す。このスライド支持部材２０は、本体部３９が長方形の枠状になっており、この本体部３９の長手方向の両側位置に、ガイド溝４９を有する断面コ字形状のガイド部４０が設けられており、このガイド溝４９が、図４のメインケース１４の両ガイドレール２３にそれぞれスライド自在に係合する。また、図５の本体部３９の対向する２つの長辺部分の外面には、その後端縁に沿って係止条部４１が突設されている。本体部３９の長手方向で相対向する内面にはストッパ部４２が突設されている。なお、本体部３９およびガイド部４０は、図４のメインケース１４の外面およびガイドレール部２３にそれぞれ摺接できる曲率に湾曲されている。
【００２４】
図３に示すように、前記本体部３９は、長方形の短い方の内寸Ｄが、ホルダケース１７における断面外形がほぼ正方形のホルダケース嵌合部１９の外寸ｄよりも僅かに大きく設定されている。前記スライド支持部材２０は、本体部３９にホルダケース１７のホルダケース嵌合部１９を挿通させて、抜け止め用鍔部３１を本体部３９における係止条部４１が設けられている後面に係合させることにより、ホルダケース嵌合部１９に取り付けられているとともに、両側のガイド部４０のガイド溝４９にそれぞれガイドレール部２３を嵌め込ませることにより、両ガイドレール部２３にスライド自在に取り付けられている。
【００２５】
したがって、スライド支持部材２０とホルダケース１７とは、図４から明らかなように、本体部３９と抜け止め用鍔部３１との係合によって相互に連結されて、メインケース１４におけるガイドレール部２３および保持受部２２からの抜脱をそれぞれ防止されている。また、ホルダケース嵌合部１９は、図３の本体部３９の内寸Ｄよりも小さい外寸ｄを有し、かつ４つの角部がアール形状に形成されたほぼ正方形の断面外形になっているから、本体部３９に対し９０°の回転角度毎に節動するようになっいる。すなわち、図４に示すマスク２４と共に球体を構成するホルダケース１７は、ホルダケース嵌合部１９を回転支軸として第２の軸心１２回りに９０°の角度で節動できるようになっている。
【００２６】
さらに、ホルダケース１７は、ガイドレール部２３にスライドするスライド支持部材２０を介して、メインケース１４に対し第１の軸心１１回りに回転できるようになっている。なお、嵌合孔１８はホルダケース１７を９０°の角度範囲で回転させる長さに設定されている。また、ホルダケース嵌合部１９は、スライド支持部材２０の両側のストッパ部４２に当接するまでの範囲で、嵌合孔１８の幅方向にスライド自在となっている。それにより、ホルダケース１７は、第１および第２の軸心１１，１２に共に直交する軸心回りにも僅かであるが回転可能になっている。
【００２７】
図６はロック部材２１を示し、（ａ）は正面図、（ｂ）は平面図、（ｃ）は（ａ）のＣ−Ｃ線断面図、（ｄ）は右側面図をそれぞれ示す。このロック部材２１は、本体部５０がホルダケース嵌合部１９を僅かな間隙を存して挿通させることのできる正方形の枠形状を有し、この本体部５０の上下２辺からは、スライド支持部材２０の係止条部４１に嵌合する固定溝５１を内面に備えた２つの係止片５２が前方側に突設されているとともに、これら係止片５２に対し後方側に操作片５３がそれぞれ突設されている。さらに、本体部５０の内面における上下辺の各中央部には、ホルダケース嵌合部１９の係止用切欠き３２に嵌まり込む係止突部５４が後方寄りに突設されている。
【００２８】
前記ロック部材２１はつぎのように操作してスライド支持部材２０に取り付けられている。すなわち、図４の本体部５０にホルダケース１７のホルダケース嵌合部１９を挿通させながら両操作片５３を互いに近接させる方向に加圧操作すると、各操作片５３とこれに連続する２つの係止片５２との間の箇所が変形され、両係止片５２が互いに離間する方向に変位する。この状態を保持しながら各係止突部５４をこれに対向する２つの係止用切欠き３２に挿入させ、かつ、図６の係止片５２の固定溝５１をスライド支持部材２０の係止条部４１に対向させ、そののちに両操作片５３への操作力を解除すると、固定溝５１内に係止条部４１が嵌まり込んでロック部材２１がスライド支持部材２０に固着する。このロック部材２１を取り付けた状態では、ロック部材２１の２つの係止突部５４が係止用切欠き３２に嵌合していることによってホルダケース１７の第２の軸心１２回りの回転が阻止される。但し、ロック部材２１を取り付けた状態においても、ホルダケース１７の第１の軸心１１回りの回転は可能である。
【００２９】
つぎに、前記人体検知センサを設置する手順について説明する。先ず、１番目に、用途に応じてレンズ体７のワイド型レンズ８およびナロー型レンズ９の何れかの選択を行う。この１番目の調整は、メインケース１４をベース１に対し図１の２点鎖線で示す開いた状態として、メインケース１４の後方からコインまたはドライバを支持筒部３４の２つの回転操作用切欠き３８に挿入して何れかの方向に回転操作する。それにより、支持筒部３４が保持孔３３内で回転して、センサケース３とレンズ体７からなる球体は、ホルダケース１７とマスク２４からなる球体の内部において第２の軸心１２回りに第２の回転方向（図１）Ｒ２に回転する。このとき、支持筒部３４は、その２つの爪部３７がホルダケース嵌合部１９の切欠き３２に対向するよう９０°の角度毎に節動回転する。その際、マスク２４は回転しない。これにより、ワイド型レンズ８またはナロー型レンズ９のいずれか一方が選択される。選択されたレンズのみが光通過孔２７を通して外部に露出する。
【００３０】
この選択状態を図７（ａ），（ｂ）に示す。図７（ａ）では、図の左右方向に複数のスポット状の検知領域を並べて設定するワイド型レンズ８が光通過孔２７に合致したワイド状態が選択されており、図７（ｂ）では、単一の検知領域を設定するナロー型レンズ９が光通過孔２７に合致したナロー状態が選択されている。選択されたレンズ８または９は、対応する表示孔２９または３０を通じて表示灯４４の光が投光されることにより表示される。
【００３１】
２番目に、一対の赤外線検知素子４ａ，４ｂによる検知領域の配列方向を検知すべき人体の移動方向に合致するよう調整する。すなわち、一対の赤外線検知素子４ａ，４ｂを逆接続した人体検知センサでは、２つの各検知領域に同時に発生する外乱光等の背景雑音を両検知領域間で相殺して誤検知を防止し、２つの検知領域を或る時間差で横切る人体のみを検知できるようになっているから、両赤外線検知素子４ａ，４ｂの配列方向を検知すべき人体の移動方向に合致させる必要があり、これを人体検知センサの指向性という。したがって、２番目の調整は指向性を設定する。
【００３２】
これには、ロック部材２１をスライド支持部材２０から取り外してホルダケース嵌合部１９をスライド支持部材２０に対し回転可能状態としたのちに、マスク２４を外側から把持して第２の回転方向Ｒ２に回転操作する。このとき、マスク２４と一体回転するホルダケース嵌合部１９は、ほぼ正方形の外形を有してスライド支持部材２０の本体部３９内で９０°の回転角度で節動回転する。センサケース３とレンズ体７とからなる球体は、センサケース３の支持筒部３４の爪部３７がホルダケース嵌合部１９の切欠き３２に係合しているために、マスク２４およびホルダケース１７と一体回転する。これにより、指向性が９０°ずつ変更される。
【００３３】
図８は表示灯４４の点灯回路のブロック構成図を示す。センサの設置時には、ベース１の外面に取りつけた図示しない表示指示入力部７２をオン操作すると、点灯制御部７３により表示灯４４が連続点灯するよう制御される。したがって、上述のように選択されたレンズ８または９は、表示灯４４の発光が対応する表示孔２９または３０を通じて外部に投射されることにより、正面側から確実に視認できる位置において表示される。それにより、レンズ８，９を種別を目視で判別できない一般のユーザーが設置する場合においても、所望のレンズ８，９を間違うことなく確実に選択して設定できる。
【００３４】
なお、表示灯４４の発光によるレンズ８，９の表示は、設置時のレンズ８，９の選択時にのみ必要であるから、設置後は表示指示入力部７２をオフ操作しておけばよい。但し、表示灯４４を点灯させて選択したレンズ８，９を常時表示しても、赤外線検知素子４ａ，４ｂが人体を検知した場合には、後述するように表示灯４４が点滅点灯されるので、特に支障は生じない。
【００３５】
一対の赤外線検知素子４ａ，４ｂは互いに逆極性に直列接続されており、この一対の赤外線検知素子４ａ，４ｂにそれぞれ入射した赤外線光束ＩＲにより発生する電荷が、高抵抗の入力抵抗ｒ１を介して放電されるとともに、電界効果トランジスタＦによりインピーダンス変換され、ソースフォロワ構成のもとに、この電界効果トランジスタＦを介して電池５５に直列接続された２個の増幅用抵抗ｒ２，ｒ３を通じて増幅された信号として取り出される。すなわち、両赤外線検知素子４ａ，４ｂに発生した電荷が互いに逆極性のもとに合計されて出力された信号は、増幅回路５７で増幅されたのちに、比較回路からなるレベル検出回路５９に入力される。
【００３６】
レベル検出回路５９は入力信号の信号強度、すなわち赤外線検知素子４ａ，４ｂに入射した赤外線光束ＩＲの変動量に対応した信号レベルを、検出レベル設定部５８に設定された検出レベルと常時比較しており、入力信号レベルが検出レベルを超えたときに、人体検知信号を点灯制御部７３に対し出力する。点灯制御部７３は、人体検知信号が入力されたときに、内蔵している点滅駆動回路７３ａを駆動して表示灯４４を点滅点灯させる。
【００３７】
ここで、点灯制御部７３は、表示指示入力部７２がオン状態において人体検知信号を受けた場合、連続点灯を中断して点滅駆動回路７３ａを駆動する。なお、外乱光などによる背景雑音は各赤外線検知素子４ａ，４ｂによる検知領域に同時に発生するので、両赤外線検知素子４ａ，４ｂ間で相殺されて人体検知信号が出力されない。
【００３８】
前記の１，２番目の調整が終了したならば、ロック部材２１を上述の操作によりスライド支持部材２１に取り付ける。それにより、前記２番目の調整状態を保持する。つぎに、メインケース１４を図１の実線で示すように閉じてベース１に合体させると、外部からはロック部材２３１の取り外しが不能となる。この状態において、ベース１の支持面２を天井、壁、机の上などの所要の支持箇所に固定または載置する。
【００３９】
前記取り付け後に、検知領域を正確に設定するための調整を行う。すなわち、マスク２４を外側から把持して第１の回転方向（図１）Ｒ１に首振り状態に回転させるよう操作する。このとき、ホルダケース１７のホルダケース嵌合部１９は、メインケース１４のガイドレール部２３にスライド自在のスライド支持部材２０を介して、第１の軸心１回りに９０°の角度範囲内で任意に回転するので、１，２番目の調整により選択した赤外線検知素子４ａ，４ｂの指向性、およびレンズ８（ワイド），９（ナロー）による検知領域を所定箇所に正確に設定できる。なお、この検知領域の設定に際しては、検知領域を設定すべき箇所に作業員を立たせて、他の作業員がマスク２４の首振り操作を行いながら、赤外線検知素子４ａ，４ｂが作業員を検知して表示灯４４が点滅された時点でマスク２４の回転操作を停止するようにすればよい。
【００４０】
さらに、４番目の調整として、図３に矢印Ｙで示すように、ロック部材２１を取り外すことなく、外側からマスク２４を、ホルダケース嵌合部１９がスライド支持部材２０の両側のストッパ部４２（図５参照）に当接するまでの僅かな範囲内において、嵌合孔１８の幅方向に移動させる。これにより、センサケース３、レンズ体７、ホルダケース１７およびマスク２４の全体を、第１および第２の軸心１１，１２にそれぞれ直交する軸心回りに回転させて、検知領域を微調整できる。
【００４１】
図９は本発明の第２実施形態に係るエリア可変型の人体検知センサを示す切断右側面図を示し、図１と同一若しくは実質的に同等のものには同一の符号を付してあり、つぎに、第１実施形態と相違する構成についてのみ説明する。この人体検知センサでは、ホルダケースを備えておらず、検知素子対４および表示灯４４を内部に備えた中空の半球体形状のセンサケース６１に、レンズ体７が固着され、かつマスク２７が第１の軸心１１回りに回転自在に取り付けられている。
【００４２】
また、センサケース６１を第１および第２の軸心１１，１２Ａ回りに回転自在に支持する回転支持機構６０は、ベースの開口１ａに第２の軸心１２回りに回転自在に取り付けられたメインケース６３と、センサケース６１に設けられて、このセンサケース６１をメインケース６３の長孔状の嵌合孔１８にその長手方向Ｘにスライド自在に挿入させるとともに、スライドによってセンサケース６３を第１の軸心１１回りに回転させるセンサケース嵌合部６４と、センサケース嵌合部６４に嵌合してこの嵌合部６４を嵌合孔１８にスライド自在に支持するスライド支持部材６２とにより構成されている。
【００４３】
センサケース６１の開口端には環状のガイド溝６７が形成され、このガイド溝６７にマスク２４の開口端の環状の突条部６８がスライド自在に係合している。これにより、マスク２４は、手動でセンサケース６１に対し９０°の角度内で、前記環状のガイド溝６７の軸心に合致した第３の軸心１２Ｂ回りに回転可能になっている。また、メインケース６３の後部開口端には、９０°の円弧状のガイド溝６９が形成され、このガイド溝６９にベース１の開口端の突条部７０が周方向にスライド自在に係合している。これにより、メインケース６３はベース１に対し９０°の角度内で第２の軸心１２Ａ回りに回転可能になっている。
【００４４】
また、この実施形態では、ロック部材を設けておらず、スライド支持部材６２は、第１実施形態のものに対し係止条部を有しない形状になっており、センサケース６１の嵌合部６４の先端の係合爪部７１が後端部に係合されることにより、嵌合部６４から抜け止めされて嵌合部６４をメインケース６３のガイドレール部２３にスライド自在に支持している。
【００４５】
したがって、この実施形態の人体検知センサでは、メインケース６３をベース１に対し第２の軸心１２Ａ回りに回転させることにより、一対の赤外線検知素子４ａ，４ｂによる検知領域の配列方向（指向性）を検知すべき人体の移動方向に合致させる調整を行い、マスク２４をセンサケース６１に対し第３の軸心１２Ｂ回りに回転させることにより、レンズ体のレンズ８，９の選択を行い、マスク２４を把持して第１の軸心１１回りに回転させることにより、検知領域を正確に設定するための調整を行うようになっており、第１実施形態と同様の効果を得ることができる。
【００４６】
【発明の効果】
以上のように、本発明の人体検知センサによれば、マスクとレンズ体の相対位置を変えてレンズ体における所望のレンズのみを択一的にマスクから露出させることにより、マスクの選択を行えるとともに、マスクに設けた表示体に選択したレンズの種類を表示する構成としたので、所望の光学要素の選択に際して、光学体の各光学要素と赤外線検知素子との相対位置は不変であるとともに、マスクと光学体とは相互に取り外しすることなく相対体に移動させるよう操作するだけでよい。したがって、簡単な構成としながらも、単純な操作で所望の光学要素を選択することができるとともに、表示体の表示を見ながらマスクまたは光学体を操作することにより、光学要素の選択を間違うおそれもなくなる。
【図面の簡単な説明】
【図１】本発明の第１実施形態に係るエリア可変型の人体検知センサを示す切断右側面図である。
【図２】同上センサの分解斜視図である。
【図３】拡大して示した図１のＡ矢視図である。
【図４】同上センサの要部を示す水平断面図である。
【図５】同上センサにおけるスライド支持部材を示す斜視図である。
【図６】同上センサにおけるロック部材を示し、（ａ）は正面図、（ｂ）は平面図、（ｃ）は（ａ）のＣ−Ｃ線断面図、（ｄ）は右側面図である。
【図７】同上センサの正面図を示し、（ａ）はワイド型レンズを選択した状態、（ｂ）はナロー型レンズを選択した状態をそれぞれ示す。
【図８】同上センサの電気系のブロック構成図である。
【図９】本発明の第２実施形態に係るエリア可変型の人体検知センサを示す切断右側面図である。
【符号の説明】
１…ベース、３，６１…センサケース、４ａ，４ｂ…赤外線検知素子、７…レンズ体（光学体）、８，９…レンズ（光学要素）、１０，６０…回転支持機構、１１…第１の軸心、１２，１２Ａ…第２の軸心、１２Ｂ…第３の軸心、１４，６３…メインケース、２４…マスク、２９，３０…表示孔、３５…表示体、４４…表示灯
【図１】
0003903129.tif 000002
【図２】
0003903129.tif 000003
【図３】
0003903129.tif 000004
【図４】
0003903129.tif 000005
【図５】
0003903129.tif 000006
【図６】
0003903129.tif 000007
【図７】
0003903129.tif 000008
【図８】
0003903129.tif 000009
【図９】
0003903129.tif 000010